(57)【要約】【課題】時計用作動カム構造体に直接的又は間接的に係合するレバー類の形状や寸法のバラツキ等に起因して停止動作に際して予備押し止まり現象の生起を最低限に抑え得る時計用作動カム構造体、該構造体を備えたクロノグラフ機構、及び該機構を備えたクロノグラフ時計、並びに作動カム構造体の調整方法の提供。【解決手段】クロノグラフ時計４のクロノグラフ機構２の時計用作動カム構造体１は、ラチェット歯車部３０及び串歯車部４０を該ラチェット歯車部及び串歯車部の中心軸線である第一の中心軸線Ｃのまわりで相対変位可能に有すると共に、ラチェット歯車部及び串歯車部を第一の中心軸線のまわりにおいて調整された相対位置で固定する調整手段５０を有する。調整方法では、作動カム構造体１に対面する支持基板８に形成した開口８ａを介して調整手段５０を操作することによりラチェット歯車部及び串歯車部の相対回転位相を調整する。【選択図】図２
2014169953.tif 000002
【特許請求の範囲】
【請求項１】
ラチェット歯車部及び串歯車部を該ラチェット歯車部及び串歯車部の中心軸線である第一の中心軸線のまわりで相対変位可能に有すると共に、前記ラチェット歯車部及び前記串歯車部を前記第一の中心軸線のまわりにおいて調整された相対位置で固定する調整手段を有する時計用作動カム構造体。
【請求項２】
前記ラチェット歯車部及び前記串歯車部のうちの一方の歯車部が第一の中心軸線からずれた位置に第一孔部を備え、前記ラチェット歯車部及び前記串歯車部のうちの他方の歯車部が前記偏心位置と重なる位置に第二孔部を備え、
前記調整手段が、前記第一孔部に摺動回転可能に嵌合され第一軸部と、前記第二孔部に遊嵌された第二軸部と、前記第一及び第二軸部に対して偏心した偏心頭部とを備えた偏心ピンを有し、該偏心ピンが前記第一孔部内において前記第一軸部の中心軸線である第二の中心軸線のまわりで回動された際に前記偏心頭部が前記他方の歯車部に係合して、前記第一の中心軸線のまわりにおける相対位置を調整するように構成された請求項１に記載の時計用作動カム構造体。
【請求項３】
前記一方及び他方の歯車部が、夫々、前記ラチェット歯車部及び前記串歯車部からなり、前記偏心ピンが前記第一孔部内において前記第二の中心軸線のまわりで回動された際に前記偏心頭部が前記串歯車部の串歯に係合して、前記第一の中心軸線のまわりにおける前記ラチェット歯車部に対する前記串歯車部の相対回転位置を調整するように構成されている請求項２に記載の時計用作動カム構造体。
【請求項４】
前記偏心ピンが前記偏心頭部の端面に工具の先端部と係合される被係合溝を備える請求項３に記載の時計用作動カム構造体。
【請求項５】
請求項１から４までのいずれか一つの項に記載の時計用作動カム構造体と、
発停ボタンの押圧に応じて回動される作動レバー構造体であって、前記発停ボタンによって停止動作が指示された際に、先端部で前記作動カム構造体の前記ラチェット歯車部のラチェット歯に係合して前記作動カム構造体を回動させるものと、
前記作動カム構造体の前記ラチェット歯車部に対して躍制動作をする作動カムジャンパであって、前記発停ボタンによって停止動作が指示された際に、前記作動レバー構造体により回動される前記作動カム構造体が前記ラチェット歯車部の前記ラチェット歯の一歯分だけステップ回転した状態で規正するものと、
前記作動カム構造体のラチェット歯車部が前記作動カムジャンパによって規正された状態において、前記串歯車部の串歯により回動されて秒クロノグラフ輪列の回転を規正する発停レバー構造体と
を有するクロノグラフ機構。
【請求項６】
請求項５に記載のクロノグラフ機構を備えたムーブメント。
【請求項７】
請求項５に記載のクロノグラフ機構がクロノグラフ地板及びクロノグラフ受によって支持されており、作動カム構造体に対面するクロノグラフ受が前記調整手段に対するアクセスを可能にする操作用開口を備えているムーブメント。
【請求項８】
請求項５に記載のクロノグラフ機構を備えたクロノグラフ時計。
【請求項９】
請求項５に記載のクロノグラフ機構を備え、該クロノグラフ機構がクロノグラフ受によって支持されており、該クロノグラフ受が前記調整手段に対するアクセスを可能にする操作用貫通孔を備えているクロノグラフ時計。
【請求項１０】
ラチェット歯車部及び串歯車部を備えた時計用作動カム構造体において前記ラチェット歯車部及び前記串歯車部を該ラチェット歯車部及び串歯車部の中心軸線である第一の中心軸線のまわりで相対変位可能にし、該第一の中心軸線のまわりにおける相対位置を調整手段によって調整可能とすると共に、該作動カム構造体の支持基板に対面する開口を介して前記調整手段を操作することにより前記ラチェット歯車部及び前記串歯車部の相対回転位相を調整する時計用作動カム構造体の調整方法。
【発明の詳細な説明】
【技術分野】
【０００１】
本発明は、時計用作動カム構造体、該構造体を備えたクロノグラフ機構、該機構を備えたムーブメント及びクロノグラフ時計、並びに時計用作動カム構造体の調整方法に係る。
【背景技術】
【０００２】
ラチェット歯車部及び串歯車部を一体的に有する時計用作動カムは知られている（特許文献１）。また、該時計用作動カムと、発停ボタンの押圧に応じて回動される作動レバー構造体であって発停ボタンによって停止動作が指示された際に先端部で作動カムのラチェット歯車部のラチェット歯に係合して作動カム構造体を回動させるものと、作動カムのラチェット歯車部に対して躍制動作をする作動カムジャンパであって発停ボタンによって停止動作が指示された際に、作動レバーにより回動される作動カムがラチェット歯車部のラチェット歯の一歯分だけステップ回転した状態で規正するものと、作動カムのラチェット歯車部が作動カムジャンパによって規正された状態において串歯車部の串歯により回動されて秒クロノグラフ輪列の回転を規正する発停レバー構造体とを有するクロノグラフ機構や、該機構を備えたムーブメント及びクロノグラフ時計も知られている（特許文献１）。
【０００３】
より詳しくは、例えば、特許文献１には、図１０及び図１１の（ａ）〜（ｃ）に示したような時計用作動カム１０１、該作動カム１０１を備えたクロノグラフ機構１０２、すなわち、クロノグラフ時計１０４のムーブメント１０３のクロノグラフ機構１０２が示されている。
Ａ１  クロノグラフ機構１０２は、図１０の平面説明図に示したように、発停ボタン１０６のＰ方向の押圧により、作動レバー構造体１１０の第一作動レバー１１１が作動レバーばね１１４の弾性力に抗して中心軸線ＰＢのまわりでＰＢ１方向に回動され、第二作動レバー１１２が先端係合部１１３で作動カム１０１のラチェット歯車部ないしラチェット歯車１７１のラチェット歯１７２を押して、作動カム１０１を中心軸線ＰＣのまわりでＰＣ１方向に回転させる。図１１の（ａ）〜（ｃ）に拡大して示した作動カム１０１はラチェット歯車１７１において作動カムジャンパ１７６による躍制を受け、ラチェット歯１７２が十分に大きくＰＣ１方向に押された場合には、該作動カム１０１は、作動カムジャンパ１７６の躍制力の作用下でラチェット歯車１７１の一歯分だけＰＣ１方向に回転されて、作動カムジャンパ１７６により再度規正される。作動カム１０１は、多数のラチェット歯１７２からなるラチェット歯車１７１に加えて、多数の串歯１７４からなる串歯車部ないし串歯車１７３を備える。
【０００４】
第一及び第二作動レバー１１１，１１２を介した作動カム１０１のＰＣ１方向回転において、発停ボタン１０６がクロノグラフ機構１０２の作動（計時動作開始）のためにＰＡ１方向に押圧された場合には発停レバー構造体１２０の第一発停レバー１２１の尾部突起１２４が作動カム１０１の串歯車１７３の隣接串歯１７４，１７４間に嵌り込んで中心軸線ＰＤのまわりでＰＤ１方向に回動し、これに伴って第一発停レバー１２１と係合し発停レバーばね１２３のばね力を受けた第二発停レバー１２２が中心軸線ＰＥのまわりでＰＥ１方向に回動し、第一及び第二発停レバー１２１，１２２からなる発停レバー構造体１２０は、図１２の（ｂ）に示した秒クロノグラフ中間車１３１による秒伝え車１９１から秒クロノグラフ車１６１への回転の伝達を許容する。
【０００５】
なお、秒クロノグラフ中間車１３１は、図示しない歯車を介して分車１９２に噛合した秒伝え車１９１及び小秒針１９３ａのある秒車１９３を連結している秒中間歯車１３１ａと、秒クロノグラフ車１６１の歯車１６１ｃに噛合した秒クロノグラフ中間歯車１３１ｂと、秒中間歯車１３１ａ及び秒クロノグラフ中間歯車１３１ｂの間において回転の伝達及びその解除を行うべく秒クロノグラフ中間車軸１３１ｃに沿って変位可能で秒クロノグラフ中間車クラッチばね１３１ｄの作用下で第一及び第二発停レバー１２１，１２２によって軸方向に変位される秒クロノグラフ中間車クラッチ１３１ｅとを備える。第一及び第二発停レバー１２１，１２２がＰＢ１，ＰＥ１方向に回動されている際には、秒クロノグラフ中間車クラッチ１３１ｅがクラッチばね１３１ｄにより秒中間歯車１３１ａに押付けられていて、秒中間歯車１３１ａから秒クロノグラフ中間歯車１３１ｂに回転を伝達し、第一及び第二発停レバー１２１，１２２がＰＢ２，ＰＥ２方向に回動されている際には、秒クロノグラフ中間車クラッチ１３１ｅがクラッチばね１３１ｄに抗して秒中間歯車１３１ａから離間されて、秒中間歯車１３１ａから秒クロノグラフ中間歯車１３１ｂへの回転の伝達が解除ないし禁止される。
【０００６】
また、第一及び第二作動レバー１１１，１１２を介した作動カム１０１のＰＣ１方向回転において、発停ボタン１０６がクロノグラフ機構１０２の作動停止（計時動作停止）のために押圧された場合には発停レバー構造体１２０の第一発停レバー１２１の尾部突起１２２が作動カム１０１の串歯車１７３の隣接串歯１７４の背面１７４ａに当接して中心軸線ＰＤのまわりでＰＤ２方向に回動し、第二発停レバー１２２が中心軸線ＰＥのまわりでＰＥ２方向に回動し、発停レバー構造体１２０の第一及び第二発停レバー１２１，１２２が内側突起部１２５，１２６で秒クロノグラフ中間車１３１に押付けられて該秒クロノグラフ中間車１３１の回転を規正する。ここで、適切な動作が行われる場合には、作動カム１０１がラチェット歯車１７１の一歯分だけＰＣ１方向に回転された状態で作動カム１０１のラチェット歯車１７１の隣接ラチェット歯１７２，１７２間に作動カムジャンパ１７６の躍制爪部１７７が嵌り込んで作動カム１０１の回転を規正するので、発停ボタン１０６の押圧を解除することにより作動レバー構造体１１０の第一及び第二作動レバー１１１，１１２が元の位置にＰＢ２方向に復帰しても、クロノグラフ時計１０４の秒クロノグラフ中間車１３１が停止状態に保たれる。１８０は時発停レバーである。
【０００７】
クロノグラフ時計１０４において、帰零ボタン１０７がＰＧ１方向に押圧されると、復針伝えレバー構造体１４０の第一及び第二復針伝えレバー１４１，１４２が回動され、復針レバー１５０がＰＦ１方向に並進されて、該復針レバー１５０の先端の秒ハンマー１５１，分ハンマー１５２及び時ハンマー１５３で、夫々、秒クロノグラフ車１６１の秒ハートカム１６１ａ，分クロノグラフ車１６２の分ハートカム１６２ａ，時クロノグラフ車１６３の時ハートカム１６３ａを叩いて、帰零させる。１５５はクリックばねである。
【０００８】
以上の動作が確実に行われ得るためには、各種のレバーの長さ及び形状等に対してある程度の寸法精度が求められるものの、実際には、全ての部品について所定の寸法精度を満足し得ない場合がある。
【０００９】
その場合、停止指示（ストップ指示動作）動作において、図１２の（ａ）及び（ｂ）に示したような予備押し止まり現象が生じることがある。
【００１０】
すなわち、各種レバーや作動カムの寸法精度が十分でない場合には、第一及び第二作動レバー１１１，１１２を介した作動カム１０１のＰＣ１方向回転において、発停ボタン１０６がクロノグラフ機構１０２の作動停止（計時動作停止）のためにＰＡ１方向にゆっくり押圧された際に、図１２の（ａ）に示したように、作動カムジャンパ１７６の爪部１７７の先端１７７ａが作動カム１０１のラチェット歯車１７１のラチェット歯１７２の頂点１７２ａに達せずその手前の斜面部１７２ｂの範囲内にとどまっている（従ってクリック感も生じない）ことがある。その場合、発停ボタン１０６が押圧されている間は発停レバー構造体１２０の第一発停レバー１２１の尾部突起１２４の側縁１２４ａが作動カム１０１の串歯車１７３の隣接串歯１７４の側縁１７４ｂに係合して中心軸線ＰＤのまわりでＰＤ２方向に回動し、第二発停レバー１２２が中心軸線ＰＥのまわりでＰＥ２方向に回動し、発停レバー構造体１２０の第一及び第二発停レバー１２１，１２２が内側突起部１２５，１２６で秒クロノグラフ中間車１３１に押付けられて該秒クロノグラフ中間車１３１のクラッチ１３１ｅを介する回転の伝達を解除するけれども、発停ボタン１０６のＰＡ１方向の押圧を解除すると、作動カムジャンパ１７６がラチェット歯車１７１のラチェット歯１７２の傾斜面１７２ｂを押して作動カム１０１を戻すようにＰＣ２方向に逆転させる。従って、発停レバー構造体１２０の第一発停レバー１２１の尾部突起１２４が作動カム１０１の隣接串歯１７４，１７４間に再度深く嵌り込んで、発停レバー構造体１２０の第一及び第二発停レバー１２１，１２２が秒クロノグラフ中間車１３１による回転の伝達の解除（禁止）をやめて再度回転の伝達を許容する。すなわち、発停ボタン１０６をＰＡ１方向に押して停止指示をしたにもかかわらず、該ボタン１０６のＰＡ１方向の押圧を解除しただけで停止指示が無効になってしまうという種類の予備押し止まり現象が生じる虞れがある。
【００１１】
また、各種レバーや作動カムの寸法精度が十分でなくて作動カムジャンパ１７６の爪部１７７の先端１７７ａが作動カム１０１のラチェット歯車１７１のラチェット歯１７２の頂点１７２ａに達せずその手前の斜面部１７２ｂの範囲内にとどまっている（従ってクリック感も生じない）状態にある際に発停レバー構造体１２０の第一及び第二発停レバー１２１，１２２が内側突起部１２５，１２６で秒クロノグラフ中間車１３１の秒クロノグラフ中間車クラッチ１３１ｅに係合し始めるような場合において、発停ボタン１０６がクロノグラフ機構１０２の作動停止（計時動作停止）のためにＰＡ１方向にゆっくり押圧されると、秒クロノグラフ中間車クラッチ１３１ｅが秒中間歯車１３１ａに比較的強く係合されたまた回転されている最中に該秒クロノグラフ中間車クラッチ１３１ｅが第一及び第二発停レバー１２１，１２２の内側突起部１２５，１２６による摩擦係合を受けてその回転が停止され、これに伴い、秒中間歯車１３１ａ自体の回転が停止され、クロノグラフ時計１０４全体の運針自体が停止せしめられる種類の予備押し止まり現象が生じる虞れもある。
【００１２】
この停止もまた、発停ボタン１０６の押圧の解除により、作動カムジャンパ１７６がラチェット歯車１７１のラチェット歯１７２の傾斜面１７２ｂを押して作動カム１０１を戻すようにＰＣ２方向に逆転させ、発停レバー構造体１２０の第一及び第二発停レバー１２１，１２２が秒クロノグラフ中間車との係合をやめることにより終了する。すなわち、発停ボタン１０６を押して停止指示をした場合に、前述のように押圧を解除しただけで停止指示が無効になってしまうだけでなく、押圧期間中は秒車自体の回転が停止され時計の運針自体が停止せしめられる虞れもある。これもまた、予備押し止まり現象の一つである。
【００１３】
なお、歯車においてバックラッシュの調整を目的として、歯車の歯の位相を調整することは知られている（例えば、特許文献２）。
【先行技術文献】
【特許文献】
【００１４】
【特許文献１】特許４３７６５３６号明細書
【特許文献２】実願昭５８−１１９３２８号のマイクロフィルム
【発明の概要】
【発明が解決しようとする課題】
【００１５】
本発明は前記諸点に鑑みなされたものであってその目的とするところは、時計用作動カム構造体に直接的又は間接的に係合するレバー類の形状や寸法のバラツキに起因して停止（ストップ）動作に際して予備押し止まり現象の生起を最低限に抑え得る時計用作動カム構造体、該構造体を備えたクロノグラフ機構、該機構を備えたムーブメント及びクロノグラフ時計、並びに時計用作動カム構造体の調整方法を提供することにある。
【課題を解決するための手段】
【００１６】
本発明の時計用作動カム構造体は、前記目的を達成すべく、ラチェット歯車部及び串歯車部を該ラチェット歯車部及び串歯車部の中心軸線である第一の中心軸線のまわりで相対変位可能に有すると共に、前記ラチェット歯車部及び前記串歯車部を前記中心軸線のまわりにおいて調整された相対位置で固定する調整手段を有する。
【００１７】
本発明の時計用作動カム構造体では、「ラチェット歯車部及び串歯車部を該ラチェット歯車部及び串歯車部の中心軸線である第一の中心軸線のまわりで相対変位可能に有する」ので、時計用作動カム構造体に直接的又は間接的に係合するレバー類の形状や寸法にバラツキがあっても、ラチェット歯車部及び串歯車部を中心軸線のまわりで相対変位させる（位置調整する）ことにより、レバー類の形状や寸法のバラツキをラチェット歯車部及び串歯車部の相対位置の調整によって実際上吸収し得る。また、本発明の時計用作動カム構造体では、「前記ラチェット歯車部及び前記串歯車部を前記第一の中心軸線のまわりにおいて調整された相対位置で固定する調整手段を有する」ので、レバー類の形状や寸法のバラツキをラチェット歯車部及び串歯車部の相対位置の調整によって実際上吸収した状態（相対位置）に保ち得るから、予備押し止まりの如き該バラツキに起因する動作上の不具合の生起を最低限に抑える。
【００１８】
本発明の時計用作動カム構造体では、典型的には、前記ラチェット歯車部及び前記串歯車部のうちの一方の歯車部が第一の中心軸線からずれた位置に第一孔部を備え、前記ラチェット歯車部及び前記串歯車部のうちの他方の歯車部が前記偏心位置と重なる位置に第二孔部を備え、前記調整手段が、前記第一孔部に摺動回転可能に嵌合され第一軸部と、前記第二孔部に遊嵌された第二軸部と、前記第一及び第二軸部に対して偏心した偏心頭部とを備えた偏心ピンを有し、該偏心ピンが前記第一孔部内において前記第一軸部の中心軸線である第二の中心軸線のまわりで回動された際に前記偏心頭部が前記他方の歯車部に係合して、前記第一の中心軸線のまわりにおける相対位置を調整するように構成される。
【００１９】
この場合、偏心ピンを回して偏心頭部の位置を変えるだけで、ラチェット歯車部及び串歯車部の相対位置を変更し且つ大変変更された相対位置でラチェット歯車部及び串歯車部を保持し得るから、該バラツキに起因する動作上の不具合の生起を、容易且つ確実に最低限に抑える。
【００２０】
また、本発明の時計用作動カム構造体では、典型的には、前記一方及び他方の歯車部が、夫々、前記ラチェット歯車部及び前記串歯車部からなり、前記偏心ピンが前記第一孔部内において前記第二の中心軸線のまわりで回動された際に前記偏心頭部が前記串歯車部の串歯に係合して、前記第一の中心軸線のまわりにおける前記ラチェット歯車部に対する前記串歯車部の相対回転位置を調整するように構成される。
【００２１】
この場合、偏心ピンの回動によりラチェット歯車部に対して串歯車部の相対回転位置を確実に変更し得、これにより、関連レバー類のバラツキに起因する動作上の不具合の生起を、容易且つ確実に最低限に抑え得る。
【００２２】
また、本発明の時計用作動カム構造体では、典型的には、前記偏心ピンが前記偏心頭部の端面に工具の先端部と係合される被係合溝を備える。
【００２３】
その場合、工具を被係合溝に係合させて工具を操作することにより偏心ピンを回して回転位相を調整し得る。ここで、工具は典型的には微小ドライバからなり、被係合溝はドライバの先端部と相補的形状の溝からなる。
【００２４】
また、本発明のクロノグラフ機構は、前記目的を達成すべく、上述のような時計用作動カム構造体と、発停ボタンの押圧に応じて回動される作動レバー構造体であって、前記発停ボタンによって停止動作が指示された際に、先端部で前記作動カム構造体の前記ラチェット歯車部のラチェット歯に係合して前記作動カム構造体を回動させるものと、前記作動カム構造体の前記ラチェット歯車部に対して躍制動作をする作動カムジャンパであって、前記発停ボタンによって停止動作が指示された際に、前記作動レバー構造体により回動される前記作動カム構造体が前記ラチェット歯車部の前記ラチェット歯の一歯分だけステップ回転した状態で規正するものと、前記作動カム構造体のラチェット歯車部が前記作動カムジャンパによって規正された状態において、前記串歯車部の串歯により回動されて秒クロノグラフ輪列の回転を規正する発停レバー構造体とを有する。
【００２５】
本発明のクロノグラフ機構では、時計用作動カム構造体に直接的又は間接的に係合するレバー類の形状や寸法にバラツキがあっても該バラツキに起因する動作上の不具合の生起を最低限に抑え得る。
【００２６】
本発明のムーブメントは、前記目的を達成すべく、上述のようなクロノグラフ機構を備える。
【００２７】
本発明のムーブメントでは、クロノグラフ機構では、時計用作動カム構造体に直接的又は間接的に係合するレバー類の形状や寸法にバラツキがあっても該バラツキに起因する動作上の不具合の生起を最低限に抑え得る。
【００２８】
本発明のムーブメントでは、典型的には、上述のようなクロノグラフ機構がクロノグラフ地板及びクロノグラフ受によって支持されており、作動カム構造体に対面するクロノグラフ受が前記調整手段に対するアクセスを可能にする操作用開口を備える。
【００２９】
その場合、調整手段による調整が容易に行われ得る。
【００３０】
本発明のクロノグラフ時計は、前記目的を達成すべく、上述のようなクロノグラフ機構を備える。
【００３１】
その場合、調整手段による調整が容易に行われ得る。
【００３２】
本発明のクロノグラフ時計は、前記目的を達成すべく、上述のようなクロノグラフ機構を備え、該クロノグラフ機構がクロノグラフ地板及びクロノグラフ受によって支持されており、作動カム構造体に対面するクロノグラフ受が前記調整手段に対するアクセスを可能にする操作用開口を備える。
【００３３】
本発明の時計用作動カム構造体の調整方法は、前記目的を達成すべく、ラチェット歯車部及び串歯車部を備えた時計用作動カム構造体において前記ラチェット歯車部及び前記串歯車部を該ラチェット歯車部及び串歯車部の中心軸線である第一の中心軸線のまわりで相対変位可能にし、該第一の中心軸線のまわりにおける相対位置を調整手段によって調整可能とすると共に、該作動カム構造体に対面する支持基板に形成した開口を介して前記調整手段を操作することにより前記ラチェット歯車部及び前記串歯車部の相対回転位相を調整する。
【００３４】
本発明の時計用作動カム構造体の調整方法では、ラチェット歯車部及び串歯車部の相対回転位相が容易且つ確実に調整され得る。
【図面の簡単な説明】
【００３５】
【図１】本発明の好ましい一実施例の時計用作動カム構造体を備えた本発明の好ましい一実施例のクロノグラフ機構を有する本発明の好ましい一実施例のムーブメントを具備する本発明の好ましい一実施例のクロノグラフ時計を文字板側から見た外観説明図。
【図２】図１のクロノグラフ時計のクロノグラフ機構を示したもので、（ａ）は該クロノグラフ機構が帰零状態（リセット状態）にある場合の平面説明図、（ｂ）は該クロノグラフ機構の作動カム構造体が調整のために外部からアクセス可能な状態にあることを示した一部の断面説明図。
【図３】図１のクロノグラフ時計のクロノグラフ機構がクロノグラフ動作（作動）状態にある場合を示したもので、（ａ）は図２の（ａ）と同様な平面説明図、（ｂ）は一部の断面説明図。
【図４】図１のクロノグラフ時計のクロノグラフ機構が停止（ストップ）状態にある場合を示したもので、（ａ）は図２の（ａ）と同様な平面説明図、（ｂ）は一部の断面説明図。
【図５】図１のクロノグラフ時計のクロノグラフ機構において関連部品の寸法や形状のズレが大きい場合であって該クロノグラフ機構がクロノグラフ動作（作動）状態にある際に発停ボタンがゆっくり押された場合における予備押し止まり現象を示したもので、（ａ）は図２の（ａ）と同様な平面説明図、（ｂ）は一部の断面説明図。
【図６】図１のクロノグラフ時計のクロノグラフ機構において関連部品の寸法や形状のズレが大きいものの作動カム構造体の串歯車部のラチェット歯車部に対する回転位相が調整された場合であって該クロノグラフ機構がクロノグラフ動作（作動）状態にある際に発停ボタンがゆっくり押された場合を示したもので、（ａ）は図２の（ａ）と同様な平面説明図、（ｂ）は一部の断面説明図。
【図７】図２の（ａ）に示した本発明の好ましい一実施例の作動カム構造体を拡大して示したもので、（ａ）は平面説明図、（ｂ）は断面説明図。
【図８】図２の（ａ）に示した本発明の好ましい一実施例の作動カム構造体を拡大して示したもので、（ａ）は斜視説明図、（ｂ）は分解斜視説明図。
【図９】作動カムの串歯車部のラチェット歯車部に対する回転位相が調整可能な構造を有する図１のムーブメントを示したもので、（ａ）は文字板を取り外した状態の斜視説明図、（ｂ）は（ａ）の一部の平面説明図。
【図１０】従来の作動カムを備えた従来のクロノグラフ機構を有する従来のムーブメント及びクロノグラフ時計の平面説明図。
【図１１】図１０の作動カムを拡大して示したもので、（ａ）は平面説明図、（ｂ）は断面説明図、（ｃ）は斜視説明図。
【図１２】図１０のクロノグラフ時計のクロノグラフ機構において関連部品の寸法や形状のズレが大きい場合であって該クロノグラフ機構がクロノグラフ動作（作動）状態にある際に発停ボタンがゆっくり押された場合における予備押し止まり現象を示したもので、（ａ）は図１０と同様な平面説明図、（ｂ）は一部の断面説明図。
【発明を実施するための形態】
【００３６】
本発明の好ましい一実施の形態を添付図面に示した好ましい実施例に基づいて説明する。
【実施例】
【００３７】
図１並びに図２の（ａ）及び（ｂ）には、本発明の好ましい一実施例の時計用作動カム構造体１（図２の（ａ）及び（ｂ））を備えた本発明の好ましい一実施例のクロノグラフ機構２（図２の（ａ））を有する本発明の好ましい一実施例のムーブメント３及び本発明の好ましい一実施例のクロノグラフ時計４が示されている。
【００３８】
クロノグラフ時計４は、図１の外観図に示したように、中心軸線Ｋのまわりで回転されて時刻表示をする時針１１及び分針１２並びに３時の位置において中心軸線Ｈのまわりで回転可能な小秒針１３を有する。これらの針１１，１２，１３は回転駆動源及び通常運針輪列を含むベースユニット４ａ（図３の（ｂ）等）の制御下で通常の刻時乃至運針を行う。
【００３９】
クロノグラフ時計４は、また、図１の外観図に示したように、６時の位置において中心軸線Ｊのまわりで回転可能なクロノグラフ時針２１と９時の位置において中心軸線Ｌのまわりで回転可能なクロノグラフ分針２２と中心軸線Ｋのまわりで回転可能なクロノグラフ秒針２３とを含む。これらのクロノグラフ針２１，２２，２３は概ね上記のベースユニット４ａの文字板側に位置し該ベースユニットに結合されたクロノグラフユニット６（図２の（ａ）や図３の（ｂ）等）の制御下でクロノグラフ表示を行う。
【００４０】
図１の外観図において、１４は時計ケース、１５は文字板、１６はムーブメント３の巻真１７の先端に取付けられたりゅうず、２４はＡ１，Ａ２方向に可動な発停（スタート・ストップ）ボタン、２５はＲ１，Ｒ２方向に可動な帰零指示（リセット）ボタンである。クロノグラフ時計４のムーブメント３は、クロノグラフ時計４のうち時計ケース１４の如き外装備品を除いたクロノグラフ時計本体部分であって、通常運針にかかわるベースユニット４ａに加えてクロノグラフ動作に係るクロノグラフユニット６を含む。
【００４１】
クロノグラフ機構２は、図２の（ａ）及び（ｂ）に示したように、クロノグラフ地板７及びクロノグラフ受８の間に、作動カム構造体１を備える。
【００４２】
作動カム構造体１は、図７の（ａ）及び（ｂ）並びに図８の（ａ）及び（ｂ）に示したように、ラチェット歯車部３０と串歯車部４０と偏心ピン５０とを備える。
【００４３】
ラチェット歯車部３０は、分解斜視図の形態の図８の（ｂ）から最もよくわかるように、外周縁３１に多数のラチェット歯３２が等間隔に形成されたラチェット歯車本体３３を備えると共に中央部に開口３４（図７の（ｂ））を備えた板状部３５と、該板状部３５の中央開口３４に基端部３６で嵌着された筒状部３７とを有する。なお、板状部３５は、ラチェット歯３２に近接した領域に偏心ピン５０を嵌合するための第一孔部としての円筒状の円形孔３８を有する。孔３８を構成する円筒３８ａは、中央に中心軸線Ｍを有する。
【００４４】
串歯車部４０は、分解斜視図の形態の図８の（ｂ）から最もよくわかるように、環状板状部４１と該環状板状部４１の一方の主面４２に周方向に等間隔に形成された串歯４３とを有する。串歯車部４０の串歯４３の数はラチェット歯車部３０のラチェット歯３２の数の半分（１／２）である。各串歯４３は、断面が扇形４４の柱４５の形態であり、隣接する扇形柱４５，４５の間には、径方向に延びた溝４６が形成されている。なお、多数ある溝４６のうち一箇所の溝４６ａでは、その底面４６ａ１が他の溝４６ｂの底面４６ｂ１よりも深く、底壁４６ａ２が他の溝４６ｂの底壁４６ｂ２よりも薄い。この深い溝４６ｂの薄い底壁４６ａ２には、ラチェット歯車部３０の円形孔３８と実際上同心となり得る部位に該円形孔３８よりも大径の第二孔部としての円形孔４７が形成されている。
【００４５】
串歯車部４０の環状板状部４１は中央開口４１ａを備え、該中央開口４１ａでラチェット歯車部３０の筒状部３７に相対回転可能に嵌合される。従って、串歯車部４０およびラチェット歯車部３０は、相互嵌合部において、夫々の中心に対応する第一の中心軸線としての中心軸線Ｃのまわりで相対回転可能である。
【００４６】
より詳しくは、後述のように、中心軸線Ｅのまわりにおけるラチェット歯車部３０の回転位相と該中心軸線Ｅのまわりにおける串歯車部４０の回転位相とが相対的に適切な状態になるように、設定される。この相対的な回転位相は、作動カム構造体１に関連する各種レバーの実際の寸法のバラツキに応じて異なり得る。
【００４７】
偏心ピン５０は、第一軸部としての小径軸部５１と、該小径軸部５１よりも大径の第二軸部としての中径軸部５２と、該中径軸部５２よりも大径で小径軸部５１に対して偏心した大径偏心頭部５３とを有する。小径軸部５１は、円柱の形態であって、ラチェット歯車部３０の円形孔３８に丁度嵌合して摺動回転される外径を有し、円形孔３８に嵌合された状態において第二の中心軸線としての小径軸部５１の中心軸線Ｎ１は円形孔３８の中心軸線Ｍと一致する。
【００４８】
小径軸部５１の長さは、ラチェット歯車部３０の円形孔３８の深さと実際上同程度である。中径軸部５２は、串歯車部４０の円形孔４７よりも小径で、該円形孔４７に遊嵌されていて、中径軸部５２の外周面５２ａと円形孔４７の内周面４７ａとの間には、間隙Ｇが形成されている。なお、ラチェット歯車部３０及び串歯車部４０の周方向にみて中径軸部５２と円形孔４７との間に間隙Ｇが形成され得る限り、円形孔４７は、真円の代わりに楕円等他の形状でもよい。ラチェット歯車部３０と串歯車部４０との周方向の相対変位を許容するように、楕円や長円の場合、長径方向が周方向になるのが好ましい。
【００４９】
偏心頭部５３は、中心軸線Ｎ１に対して偏心した中心軸線Ｎ２を有する大径円板状部５４の形態である。偏心頭部５３は、大径円板状部５４の頂面５５に概ね直径方向に延びる係合溝５６を有する。大径円板状部５４は、また、底面５７で串歯車部４０の溝４６ａの底面４６ａ１に実際上当接し、偏心円筒状外周面５８のうち図７の（ａ）において仮想線Ｐで示した偏心方向に沿った最大径部５８ａの近傍で串歯車部４０の串歯４３の側面４５ａ又は４５ｂに当接可能である。
【００５０】
図２の（ｂ）並びに図９の（ａ）及び（ｂ）に示したように、クロノグラフ時計４のムーブメント３として組まれた状態では、クロノグラフ受８の作動カム偏心ピン調整用開口８ａを介して作動カム構造体１の偏心ピン５０の偏心頭部５３の係合溝５６にアクセス可能であり、該溝５６にドライバの如き工具ＷＴ（図２の（ｂ）の想像線）の先端を係合させて該工具ＷＴをまわすことにより、偏心ピン５０を中心軸線ＭないしＮ１のまわりで回転可能であり、該回転に伴って偏心頭部５３の円筒状周面５８の最大径部５８ａが中心軸線Ｎ１（Ｍ）のまわりで大きく回動され、該回動に応じて隣接する串歯４３，４３の柱状部４５，４５の隣接する側面４５ｂ又は４５ａに押付けられて、ラチェット歯車部３０に対して、串歯車部４０をＣ１方向又はＣ２方向に相対回動させ、串歯車部４０のラチェット歯車部３０に対するＥ１方向の相対位相を進めたり遅らせたりし得る。即ち、工具で偏心ピン５０を回すことにより、串歯車部４０のラチェット歯車部３０に対するＣ１方向の回転位相を調整し得る。
【００５１】
なお、作動カム構造体１のラチェット歯車部３０と串歯車部４０とは、相当程度強く摩擦係合されており、偏心ピン５０の偏心頭部５３の最大径部５８ａによって強制回転させられる場合を除き、多少の外力（例えばクロノグラフ機構２を構成する各種レバーによる力）によっては相対回転は生じない。
【００５２】
なお、文字板１５が取外し可能であれば、ムーブメント３を時計ケース１４から取り出すことなく、時計４において文字板１５を取り外した状態で偏心ピン５０の調整を行ってもよい。更に、所望ならば、各種部品の配置を変えて、裏蓋を外した状態で裏蓋側から偏心ピン５０の調整を行い得るようにしてもよい。
【００５３】
クロノグラフ機構２について、図２の（ａ）には該機構２がリセット状態Ｓｒにある場合の関連部品の動作状態が示され、図３の（ａ）及び（ｂ）には該機構２がクロノグラフ作動状態（クロノグラフ計時ないし計測状態）Ｓｍにある場合の関連部品の動作状態が示され、図６の（ａ）及び（ｂ）には停止状態に入る直前で途中の状態にある場合の関連部品の動作状態が示され、図４の（ａ）及び（ｂ）には該機構２が停止状態Ｓｓにある場合の関連部品の動作状態が示されている。
【００５４】
図２の（ａ）や図３の（ａ）や図４の（ａ）に示したように、クロノグラフ機構２は、発停ボタン２４のＡ１方向の押圧により、作動される作動レバー構造体６０を有する。作動レバー構造体６０は、中心軸線Ｂのまわりで回動可能な第一作動レバー６１と第一作動レバー６１の先端部６１ａに回動可能に連結された第二作動レバー６２とからなる。発停ボタン２４がＡ１方向に押圧されると、第一作動レバー６１が作動レバーばね６３の弾性力に抗して中心軸線ＢのまわりでＢ１方向に回動され、第二作動レバー６２が先端係合部６２ａで作動カム構造体１のラチェット歯車部３０のラチェット歯３２を押して、作動カム構造体１を中心軸線ＣのまわりでＣ１方向に回転させる。作動カム構造体１はラチェット歯車部３０において作動カムジャンパ６５による躍制を受け、作動カムジャンパ６５の躍制爪部６５ａの頂点がラチェット歯３２の頂点をＣ１方向に越えるようにラチェット歯３２が十分に大きくＣ１方向に押された場合には、該作動カム構造体１は、作動カムジャンパ６５の弾性力の作用下でラチェット歯車部３０の一歯分だけＣ１方向に回転されて、次の隣接ラチェット歯３２，３２間の谷部において作動カムジャンパ６５により再度規正される。
【００５５】
ラチェット歯車部３０のラチェット歯３２の数は串歯車部４０の串歯４３の歯数の二倍であるので、発停ボタン２４のＡ１方向押圧に応じてラチェット歯車部３０の一歯分だけＣ１方向に回転される作動カム構造体１は、Ｃ１方向の適切な間欠回転位置に設定される限り、第一の回転位置Ｑ１（図３参照）と第二の回転位置Ｑ２（図４参照）とを交互に採る。
【００５６】
クロノグラフ機構２は、また、発停レバー構造体６６と発停レバーばね６９とを有する。発停レバー構造体６６は、中心軸線ＤのまわりでＤ１，Ｄ２方向に回動可能な第一発停レバー６７と中心軸線ＥのまわりでＥ１，Ｅ２方向に回動可能な第二発停レバー６８とからなる。発停レバー構造体６６の第一発停レバー６７は、作動カム構造体１が第一の回転位置Ｑ１に設定されると、尾部突起６７ａが作動カム構造体１の串歯車部４０の隣接串歯４３，４３間の溝ないし間隙４６に嵌り込んでＤ１方向に回動され、作動カム構造体１が第二の回転位置Ｑ２に設定されると、尾部突起６７ａが作動カム構造体１の串歯車部４０の最隣接串歯４３の背面４５ｃに当たって押し出されてＤ２方向に回動される。
【００５７】
なお、図３の（ｂ）や図４の（ｂ）の断面説明図に示したように、クロノグラフ時計４では、分車１２ａの分歯車１２ｂに（図示しない）歯車を介して秒伝え車９４が噛合し、該秒伝え車９４が秒車１３ａの秒歯車１３ｂに秒クロノグラフ中間車９０の秒中間歯車９２を介して噛合している。分車１２ａには分針１２が取付けられ、秒車１３ａには小秒針１３が取付けられている。秒クロノグラフ中間車９０は、秒中間歯車９２に加えて、秒クロノグラフ車９５の歯車部（秒クロノグラフ歯車）９５ｃに噛合した秒クロノグラフ中間歯車９３と、秒中間歯車９２及び秒クロノグラフ中間歯車９３の間において回転の伝達及びその解除を行うべく秒クロノグラフ中間車軸９０ａに沿ってＹ１，Ｙ２方向に変位可能で秒クロノグラフ中間車クラッチばね９０ｂの作用下で第一及び第二発停レバー６７，６８によって軸方向に変位されるリング状の秒クロノグラフ中間車クラッチ９１とを備える。第一及び第二発停レバー６７，６８がＤ１，Ｅ１方向に回動されている際には、秒クロノグラフ中間車クラッチ９１がクラッチばね９０ｂによりＹ１方向に偏倚されて秒中間歯車９２に押付けられて該秒中間歯車９２から秒クロノグラフ中間歯車９３に回転を伝達し（図３の（ａ）及び（ｂ））、第一及び第二発停レバー６７，６８がＤ２，Ｅ２方向に大きく回動されている際には、第一及び第二発停レバー６７，６８の突起部６７ｂ，６８ｂが秒クロノグラフ中間車クラッチ９１の外周凹部９１ａに深く入り込み、秒クロノグラフ中間車クラッチ９１がクラッチばね９０ｂに抗してＹ２方向に変位されて秒中間歯車９２から離間し、秒中間歯車９２から秒クロノグラフ中間歯車９３への回転の伝達が解除ないし禁止される（例えば図４の（ａ）及び（ｂ））。
【００５８】
クロノグラフ機構２が図２の（ａ）のリセット状態Ｓｒや図４の（ａ）及び（ｂ）の停止（ストップ）状態Ｓｓにある場合に発停ボタン２４がクロノグラフ機構２の作動（計時動作開始又は再開）のためにＡ１方向に押圧されると、第二の設定位置Ｑ２にあった作動カム構造体１が第一及び第二作動レバー６１，６２を介してＣ１方向回転に回転されて第一の回転位置Ｑ１に設定され、発停レバー構造体６６の第一発停レバー６７が中心軸線ＤのまわりでＤ１方向に回動して尾部突起６７ａで作動カム構造体１の串歯車部４０の隣接串歯４３，４３間の溝ないし間隙４６に嵌り込み、これに伴って該第一発停レバー６７と係合し発停レバーばね６９のばね力を受けた第二発停レバー６８が中心軸線ＥのまわりでＥ１方向に回動する。その結果、第一発停レバー６７の内側係合突起部６７ｂ及び第二発停レバー６８の内側係合突起部６８ｂが秒クロノグラフ中間車９０のリング状の秒クロノグラフ中間車クラッチないしクラッチリング９１から離れて、該クラッチリング９１による秒伝え車９４から秒クロノグラフ車９５への回転の伝達、より詳しくは、秒伝え車９４に噛合しクラッチリング９１と同心の秒中間歯車９２から秒クロノグラフ車９５に噛合しクラッチリング９１と同心の秒クロノグラフ中間歯車９３への該クラッチリング９１を介する軸方向（時計４の厚さ方向）の回転の伝達を可能にする。秒クロノグラフ中間車９０のクラッチリング９１の構造等は異なっていてもよい。
【００５９】
なお、第一及び第二作動レバー６１，６２を介した作動カム構造体１のＣ１方向回転において、クロノグラフ機構２が作動状態Ｓｍにある場合に発停ボタン２４が作動停止（クロノグラフ計測動作停止）のために押圧されると、発停レバー構造体６６の第一発停レバー６７の尾部突起６７ａが第一の回転位置Ｑ１から第二の回転位置Ｑ２に変位する作動カム構造体１の串歯車部４０の隣接串歯４３の背面４５ｃに当接し該背面４５ｃにより押されて中心軸線ＤのまわりでＤ２方向に回動し、該第一発停レバー６７に係合した第二発停レバー６８が中心軸線ＥのまわりでＥ２方向に回動する。その結果、発停レバー構造体６６の第一及び第二発停レバー６７，６８の内側突起部６７ｂ，６８ｂが秒クロノグラフ中間車９０のクラッチリング９１の外周凹部９１ａに押込まれて該クラッチリング９１を軸９０ａに沿ってＹ２方向に変位させて、秒伝え車９４と秒クロノグラフ車９５とを分離、より詳しくは、秒伝え車９４に噛合しクラッチリング９１と同心の秒中間歯車９２と秒クロノグラフ車９５に噛合しクラッチリング９１と同心の秒クロノグラフ中間歯車９３との結合を解除し、秒伝え車９４から秒クロノグラフ車９５への回転の伝達を断つ。
【００６０】
ここで、適切な動作が行われる場合には、作動カム構造体１のラチェット歯車部３０の一歯分だけＣ１方向に回転された状態で作動カムジャンパ６５の躍制爪部６５ａがラチェット歯車部３０の次の隣接するラチェット歯３２，３２間に嵌り込んで作動カム構造体１の回転を規正するので、発停ボタン２４のＡ１方向の押圧を解除することにより作動レバー構造体６０の第一作動レバー６１が元の位置にＢ２方向に復帰し第二作動レバー６２も同様に元の位置（図４の（ａ）に示した位置）に戻っても、該秒クロノグラフ中間車９０を介する秒伝え車９４から秒クロノグラフ車９５への回転の伝達が断たれた状態に維持される（図４の（ａ）の停止状態Ｓｓ）。
【００６１】
なお、時発停レバー（時分発停レバー）６６ａも、串歯車部４０の串歯４３によって発停レバー構造体６６と同様に作動されて、夫々の同様なリング状クラッチ機構９７ｆ，９６ｆを介して、時クロノグラフ車９７及び分クロノグラフ車９６への回転の伝達やその解除を行う。以下では、時発停レバー６６ａによる時クロノグラフ車９７及び分クロノグラフ車９６の回転の制御に関する説明は省く。
【００６２】
クロノグラフ機構２は、更に、帰零ボタン２５により作動せしめられる復針伝えレバー構造体７０と、復針レバー８０とを有する。復針伝えレバー構造体７０は、第一復針伝えレバー７１と第二復針伝えレバー７２とからなる。帰零ボタン２５のＲ１方向押圧に応じて、第一復針伝えレバー７１が中心軸線ＴのまわりでＴ１方向に回動され、これに伴い、第二復針伝えレバー７２が中心軸線ＵのまわりでＵ１方向に回動される。
【００６３】
復針レバー８０は、力受け部８１、並びに秒ハンマー８２、分ハンマー８３及び時ハンマー８４で外力を受け得るように構成されると共に、該復針レバー８０のセルフアラインメントを可能にする案内穴８５及び案内ピン８６により概ねＦ１，Ｆ２方向に変位可能である。なお、セルフアラインメント構造自体は、特許文献１等で周知である。
【００６４】
秒クロノグラフ指針２３（図１）の設けられた秒クロノグラフ車９５の秒クロノグラフ軸９５ａには秒ハートカム９５ｂが取付けられ、分クロノグラフ指針２２（図１）の設けられた分クロノグラフ車９６の分クロノグラフ軸９６ａには分ハートカム９６ｂが取付けられ、時クロノグラフ指針２１（図１）の設けられた時クロノグラフ車９７の時クロノグラフ軸９７ａには時ハートカム９７ｂが取付けられている。
【００６５】
クロノグラフ機構２が図４の（ａ）及び（ｂ）に示した停止状態Ｓｓにある際に帰零ボタン２５がＲ１方向に押圧されると、一方では、復針伝えレバー構造体７０の第一復針伝えレバー７１が中心軸線ＴのまわりでＴ１方向に回動されて、復針伝えレバー７１の突起部７１ａが串歯車部４０の隣接串歯４３，４３間の間隙４６に嵌り込んで、作動カム構造体１を強制的に第一の回転位置Ｑ１に設定し、他方では、該第一復針伝えレバー７１に加えて第二復針伝えレバー７２が回動され、復針レバー８０がＦ１方向に案内されて、該復針レバー８０の先端の秒ハンマー８２，分ハンマー８３及び時ハンマー８４が、夫々、秒クロノグラフ車９５の秒ハートカム９５ｂ，分クロノグラフ車９６の分ハートカム９６ｂ，時クロノグラフ車９７の時ハートカム９７ｂを叩いて、帰零させる。９８はクリックばねである。
【００６６】
以上の如く構成されたクロノグラフ時計４のクロノグラフ機構２では、各種部品が適切な寸法及び形状で形成されている場合には、発停（スタート・ストップ）ボタン２４の押込みに従って、クロノグラフ計測状態ないしクロノグラフ動作状態Ｓｍにおいては図３の（ａ）及び（ｂ）に示した状態Ｓｍを採り、クロノグラフ（計測ないし動作）停止状態Ｓｓにおいては図４の（ａ）及び（ｂ）に示した状態Ｓｓを採り、帰零指示（リセット）ボタン２５の押込みに従って、帰零状態Ｓｒにおいては図２の（ａ）に示した状態Ｓｒを採る。
【００６７】
一方、クロノグラフ時計４のクロノグラフ機構２において、関連部品のいずれかの寸法や形状が適切な範囲から外れている場合、従来の作動カム１０１を備えた従来のクロノグラフ時計１０４のクロノグラフ機構１０２について図１２の（ａ）及び（ｂ）に関連して説明したのと同様な予備押し止まり現象が生じることがある。
【００６８】
例えば、関連部品のいずれかの寸法や形状が適切な範囲から外れている場合であてラチェット歯車部３０と串歯車部４０とが標準的な相対回転位相に設定されている場合、図３のクロノグラフ動作（作動）状態Ｓｍにあったクロノグラフ機構２において発停ボタン２４がゆっくりＡ１押込まれた際に、図５の（ａ）及び（ｂ）に示したように、第二作動レバー６２の先端係合部６２ａによるラチェット歯３２の押込みに従って作動カム構造体１がＣ１方向に回転され、該作動カム構造体１のＣ１方向回転に伴って回転方向Ｃ１の上流側にある串歯４３ｕが側面４５ａと背面（外周面）４５ｃとの間の側縁４５ｅで第一発停レバー６７の尾部突起６７ａの側面６７ｄを押して第一発停レバー６７をＤ２方向に回動させ第二発停レバー６８もＥ２方向に回動させる際に、作動カムジャンパ６５の躍制爪部６５ａの先端部６５ｃがラチェット歯３２の頂点３２ｃより手前の側面３２ａに係合している状態にあるときに第一及び第二発停レバー６７，６８の内側係合突起部６７ｂ，６８ｂが秒クロノグラフ中間車９０の秒クロノグラフ中間車クラッチ９１の外周凹部９１ａに入り込んで該クラッチ９１に摩擦係合して、秒中間車９２と一体回転しているクラッチ９１を外すことなく該クラッチ９１及び秒中間車９２の回転を止めてしまい、クロノグラフ計測のみならず時計４の通常運針を止めてしまう予備押し止まり現象が生じることがある。
【００６９】
このように外見上は停止状態になったクロノグラフ時計４のクロノグラフ機構２では、発停ボタン２４の押圧を解除すると、第一及び第二作動レバー６１，６２が元の位置に戻るに従って、ラチェット歯３２の頂点３２ｃより手前の側面３２ａに躍制爪部６５ａが係合している作動カムジャンパ６５によって作動カム構造体１がＣ２方向に回転されて元の位置に戻るので、クロノグラフ計測（動作）状態Ｓｍに戻ることは従来の場合と同様である。
【００７０】
このような予備押し止まり現象が生じた場合、このクロノグラフ時計４のクロノグラフ機構２では、図９の（ａ）及び（ｂ）に示したように、（必要ならばムーブメント３を取り出した後）文字板１５を取り外してクロノグラフ受８の作動カム偏心ピン調整用開口８ａを露出させ、該開口８ａを介して微小ドライバの如き工具ＷＴ（図２の（ｂ））によって偏心ピン５０を回す。
【００７１】
図５の（ａ）及び（ｂ）に示した例の場合、ラチェット歯車部３０を基準として、反時計回りＣ１にみて、串歯車部４０の回転位相が進み過ぎであるので串歯車部４０のＣ１方向の回転位相を遅らせればよい（串歯車部４０をラチェット歯車部３０に対してＣ２方向に回転変位させればよい）ことになる。
【００７２】
従って、この場合、図７の（ａ）において偏心ピン５０の偏心頭部５３が実線で示した位置ではなく想像線で示したような位置（偏心頭部５３の外周面５８がＣ１方向にみて上流側の串歯４３ｕの側面４５ａをＣ２方向に押すべく、偏心頭部５３の中心軸線Ｎ２が中心軸線Ｍ，Ｎ１に対して串歯４３ｕにくるような位置）になるように、偏心ピン５０を中心軸線Ｍ，Ｎ１のまわりで回す。これにより、ラチェット歯車部３０に対して串歯車部４０のＣ１回転位相が遅れるように調整される。この調整は、必要に応じてないし熟練度に依存して、ムーブメント３として組み立てた状態において、クロノグラフ機構２の停止（ストップ）等の動作を確認しつつ、適切な大きさ（遅れ角度ないし位相）になるまで繰返される。従って、個体差による動作不良を解消し得る。
【００７３】
このようにして、ラチェット歯車部３０に対して串歯車部４０のＣ１回転位相が適切に調整された作動カム構造体１を備えたクロノグラフ機構２の動作は、図６の（ａ）及び（ｂ）に示したように行われる。
【００７４】
すなわち、ラチェット歯車部３０に対して串歯車部４０のＣ１回転位相が適切に調整された作動カム構造体１を備えたクロノグラフ機構２では、図３のクロノグラフ動作（作動）状態Ｓｍにあったクロノグラフ機構２において発停ボタン２４がゆっくりＡ１押込まれた際に、図６の（ａ）及び（ｂ）に示したように、第二作動レバー６２の先端係合部６２ａによるラチェット歯３２の押込みに従って作動カム構造体１がＣ１方向に回転され、該作動カム構造体１のＣ１方向回転に伴って回転方向Ｃ１の上流側にある串歯４３ｕが側縁４５ｅで第一発停レバー６７の尾部突起６７ａの側面６７ｄを押して第一発停レバー６７をＤ２方向に回動させ第二発停レバー６８もＥ２方向に回動させる際に、作動カムジャンパ６５の躍制爪部６５ａの先端部６５ｃがラチェット歯３２の側面３２ａのうち頂点３２ｃの近傍に係合する状態に達したときに第一及び第二発停レバー６７，６８の内側係合突起部６７ｂ，６８ｂが秒クロノグラフ中間車９０の秒クロノグラフ中間車クラッチ９１の外周凹部９１ａに入り込み始めるけれども該クラッチ９１との摩擦係合は実際上始まっておらず、該摩擦係合が実際上始まる程度に第一及び第二発停レバー６７，６８がＤ２，Ｅ２方向に回動される前に、作動カムジャンパ６５の躍制爪部６５ａの先端部６５ｃがラチェット歯３２の頂点３２ｃを越える。従って、発停ボタン２４のＡ１方向の押込みがゆっくり行われたとしても、秒クロノグラフ中間車クラッチ９１が摩擦係合により停止される前に、作動カムジャンパ６５の爪部６５ａが次の隣接ラチェット歯３２，３２間に落ちることにより、作動カム構造体１を一歯分だけＣ１方向に強制回転させる。作動カム構造体１のＣ１方向回転に伴い該作動カム構造体１の串歯車部４０の上流側串歯４３ｕが側縁４３ｅで第一発停レバー６７の尾部突起６７ａの側面６７ｃを押して第一発停レバー６７をＤ２方向に大きく回動させ、第二発停レバー６８もＥ２方向に大きく回動させるから、第一及び第二発停レバー６７，６８の内側係合突起部６７ｂ，６８ｂが秒クロノグラフ中間車クラッチ９１の外周凹部９１ａに深く入り込んで該クラッチ９１を一気にＹ２方向に変位させて、該クラッチ９１による回転の伝達を断つ停止状態Ｓｓ（図４の（ａ）及び（ｂ））になる。従って、図５の（ａ）及び（ｂ）に示したような予備押し止まり現象の生起を確実に避け得る。作動カムジャンパ６５が次の隣接ラチェット歯３２，３２間に落ちる際に発停ボタン２４の受ける負荷が突然落ちるのでクリック感も得られる。
【００７５】
なお、以上においては、予備押し止まり現象において、クラッチ９１が回転の伝達を断つ前に該クラッチ９１の回転が停止せしめられてクロノグラフ動作のみならず通常運針動作が停止せしめられる例について説明したけれども、予備押し止まり現象において、クラッチ９１がＹ２方向に多少変位されて秒中間歯車９２から秒クロノグラフ中間歯車９３への回転の伝達が断たれるけれども作動カムジャンパ６５の躍制爪部６５ａの先端部６５ｃがラチェット歯３２の頂点３２ｃより手前の側面３２ａに係合した状態にとどまっている場合（通常運針を妨げる事態は生じないけれども、クロノグラフ動作の停止が完全には行われない場合）でも、ラチェット歯車部３０に対して串歯車部４０のＣ１回転位相の調整に要する角度（位相）の大きさが異なる（典型的には調整角度（位相）はより大きくなる）だけ、同様な調整を行うことにより、そのような予備押し止まり現象も解消され得る。
【符号の説明】
【００７６】
１  時計用作動カム構造体
２  クロノグラフ機構
３  ムーブメント
４  クロノグラフ時計
４ａ  ベースユニット
６  クロノグラフユニット
７  クロノグラフ地板
８  クロノグラフ受
８ａ  作動カム偏心ピン調整用開口
１１  時針
１２  分針
１２ａ  分車
１２ｂ  分歯車
１３  小秒針
１３ａ  秒車
１３ｂ  秒歯車
１４  時計ケース
１５  文字板
１７  巻真
２１  クロノグラフ時針（時クロノグラフ指針）
２２  クロノグラフ分針（分クロノグラフ指針）
２３  クロノグラフ秒針（秒クロノグラフ指針）
２４  発停ボタン
２５  帰零指示ボタン
３０  ラチェット歯車部
３１  外周縁
３２  ラチェット歯
３２ａ  側面
３２ｃ  頂点
３３  ラチェット歯車本体
３４  中央開口
３５  板状部
３６  基端部
３７  筒状部
３８  円形孔
３８ａ  円筒
４０  串歯車部
４１  環状板状部
４１ａ  中央開口
４２  主面
４３  串歯
４４  扇形
４５  柱
４５ａ，４５ｂ  側面
４５ｃ  背面
４５ｅ  側縁
４６  溝（間隙）
４６ａ，４６ｂ  溝
４６ａ１，４６ｂ１  底面
４６ａ２，４６ｂ２  底壁
４７  円形孔
４７ａ  内周面
５０  偏心ピン
５１  小径軸部
５２  中径軸部
５２ａ  外周面
５３  大径偏心頭部
５４  大径円板状部
５５  頂面
５６  係合溝
５７  底面
５８  偏心円筒状外周面
５８ａ  最大径部
６０  作動レバー構造体
６１  第一作動レバー
６１ａ  端部
６２  第二作動レバー
６２ａ  先端係合部
６５  作動カムジャンパ
６５ａ  躍制爪部
６５ｃ  頂点
６６  発停レバー構造体
６６ａ  時発停レバー（時分発停レバー）
６７  第一発停レバー
６７ａ  尾部突起
６７ｂ，６８ｂ  内側係合突起部
６７ｄ  側面
６８  第二発停レバー
７０  復針伝えレバー構造体
７１  第一復針伝えレバー
７１ａ  突起部
７２  第二復針伝えレバー
８０  復針レバー
８１  力受け部
８２  秒ハンマー
８３  分ハンマー
８４  時ハンマー
８５  案内穴
８６  案内ピン
９０  秒クロノグラフ中間車
９０ａ  秒クロノグラフ中間車軸
９１  秒クロノグラフ中間車クラッチ（クラッチリング）
９１ａ  外周凹部
９２  秒中間歯車
９３  秒クロノグラフ中間歯車
９４  秒伝え車
９５  秒クロノグラフ車
９５  秒クロノグラフ車
９５ａ  秒クロノグラフ軸
９５ｂ  秒ハートカム
９６  分クロノグラフ車
９６ａ  分クロノグラフ軸
９６ｂ  分ハートカム
９７  時クロノグラフ車
９７ａ  時クロノグラフ軸
９７ｂ  時ハートカム
９６ｆ，９７ｆ  リング状クラッチ機構
Ａ１，Ａ２，Ｒ１，Ｒ２  変位方向
Ｂ，Ｃ，Ｄ，Ｅ，Ｈ，Ｊ，Ｋ，Ｋ，Ｍ，Ｎ１，Ｎ２，Ｔ，Ｕ  中心軸線
Ｂ１，Ｂ２，Ｃ１，Ｃ２，Ｄ１，Ｄ２，Ｅ１，Ｅ２，Ｔ１，Ｕ１  回転（回動）方向
Ｆ１，Ｆ２  移動方向
Ｇ  間隙
Ｐ  仮想線
Ｑ１  第一の回転位置
Ｑ２  第二の回転位置
Ｓｍ  クロノグラフ動作状態（クロノグラフ作動状態）
Ｓｒ  リセット状態（帰零状態）
Ｓｓ  停止状態
ＷＴ  工具
【図１】
2014169953.tif 000003
【図２】
2014169953.tif 000004
【図３】
2014169953.tif 000005
【図４】
2014169953.tif 000006
【図５】
2014169953.tif 000007
【図６】
2014169953.tif 000008
【図７】
2014169953.tif 000009
【図８】
2014169953.tif 000010
【図９】
2014169953.tif 000011
【図１０】
2014169953.tif 000012
【図１１】
2014169953.tif 000013
【図１２】
2014169953.tif 000014